Podtech/llm-jp-corpus-v4-ja_patent huggingface dataset:
【手続補正書】
【提出日】平成19年2月21日(2007.2.21)
【手続補正１】
【補正対象書類名】明細書
【補正対象項目名】特許請求の範囲
【補正方法】変更
【補正の内容】
【特許請求の範囲】
【請求項１】  研磨材の張り付けられた研磨定盤を回転させると共に、この研磨定盤に対して被研磨部材を保持したキャリアを回転させながら押し付けて前記被研磨部材を研磨する研磨方法において、
前記キャリア先端部の前記被研磨部材面からの引っ込み量を、前記被研磨部材の前記研磨定盤に対する研磨圧力、又は前記引っ込み量の解析値に基づいて制御する第１の研磨制御工程を有することを特徴とする研磨方法。
【請求項２】  前記第１の研磨制御工程は、アクチュエータの動作により前記キャリア先端部にあるガイドリングの前記引っ込み量を制御することを特徴とする請求項１記載の研磨方法。
【請求項３】  研磨材の張り付けられた研磨定盤を回転させ、かつ前記研磨材に少なくとも分散剤及び研磨液を供給し、前記研磨材に対してドレッサを押し付けると共に、前記研磨定盤に対して被研磨部材を保持したキャリアを回転させながら押し付けて前記被研磨部材を研磨する研磨方法において、
前記研磨材の表面粗さを測定し、この表面粗さに基づいて研磨速度を制御する第２の研磨制御工程を有することを特徴とする研磨方法。
【請求項４】  前記第２の研磨制御工程は、前記表面粗さに基づいて前記研磨定盤に対する前記被研磨部材の押し付け力と、前記ドレッサの押し付け力と、前記ドレッサの回転数と、前記研磨定盤の回転数と、前記ドレッサによるドレッシング時間と、前記分散剤の流量と、前記キャリア先端部の前記被研磨部材の被研磨面からの引っ込み量と、前記研磨液の滴下位置とのうちいずれか１つ又は組み合わせて制御することを特徴とする請求項３記載の研磨方法。
【請求項５】  研磨材の張り付けられた研磨定盤を回転させると共に、前記研磨材に対してドレッサを押し付け、かつ前記研磨定盤に対して被研磨部材を保持したキャリアを回転させながら押し付けて前記被研磨部材を研磨する研磨方法において、
前記ドレッサの砥面の表面粗さを測定するドレッサ測定工程を有することを特徴とする研磨方法。
【請求項６】  研磨材の張り付けられた研磨定盤を回転させ、かつ前記研磨材に少なくとも分散剤及び研磨液を供給し、前記研磨材に対してドレッサを押し付けると共に、前記研磨定盤に対して被研磨部材を保持したキャリアを回転させながら押し付けて前記被研磨部材を研磨する研磨方法において、
前記研磨定盤を回転させるモータに流れる電流値に基づいて研磨中の研磨レートを推定し、この推定データに基づいて研磨レートを制御する第３の研磨制御工程を有することを特徴とする研磨方法。
【請求項７】  前記第３の研磨制御工程は、前記研磨レート推定データに基づいて前記研磨定盤に対する前記被研磨部材の押し付け力と、前記ドレッサの押し付け力と、前記ドレッサの回転数と、前記研磨定盤の回転数と、前記ドレッサによるドレッシング時間と、前記分散剤の流量と、前記キャリア先端部の前記被研磨部材の被研磨面からの引っ込み量と、前記研磨液の滴下位置とのうちいずれか１つ又は組み合わせて制御することを特徴とする請求項６記載の研磨方法。
【請求項８】  研磨材の張り付けられた研磨定盤を回転させ、かつ前記研磨材に研磨液を供給し、前記研磨定盤に対して被研磨部材を保持したキャリアを回転させながら押し付けて前記被研磨部材を研磨する研磨方法において、
前記キャリアに内蔵して前記研磨液を供給するための研磨液供給工程を有することを特徴とする研磨方法。
【請求項９】  研磨材の張り付けられた研磨定盤を回転させ、かつ前記研磨材に対してドレッサを押し付けると共に、前記研磨定盤に対して被研磨部材を保持したキャリアを回転させながら押し付けて前記被研磨部材を研磨する研磨方法において、
前記ドレッサの押し付け力又は前記キャリアの押し付け力のいずれか一方又は両方を検出し、この押し付け力の検出量から補間処理を行なって追加制御量を推定し、この追加制御量を加えた押し付け制御量によって前記ドレッサの押し付け力又は前記キャリアの押し付け力を制御する第４の研磨制御工程を有することを特徴とする研磨方法。
【手続補正２】
【補正対象書類名】明細書
【補正対象項目名】００１３
【補正方法】変更
【補正の内容】
【００１３】
請求項８記載による本発明は、研磨材の張り付けられた研磨定盤を回転させ、かつ研磨材に研磨液を供給し、研磨定盤に対して被研磨部材を保持したキャリアを回転させながら押し付けて被研磨部材を研磨する研磨方法において、キャリアに内蔵して研磨液を供給するための研磨液供給工程を有する研磨方法である。
【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  塗布装置に積載された塗布器の吐出口から、塗布液供給手段により供給された塗布液を被塗布部材に吐出しながら、前記塗布器および被塗布部材の少なくとも一方を相対的に移動させて前記被塗布部材に塗膜を形成する塗布方法において、塗布装置の外部で別の塗布器及び塗布液供給手段に該塗布液とは異なる別の塗布液を充填してから、塗布装置に積載されている塗布器および塗布液供給手段と交換することを特徴とする塗布方法。
【請求項２】  さらに前記塗布器および塗布液供給手段の交換後に、液体塗膜の形成中または形成直後に液体塗膜の厚さを測定し、これを基に以降の液体塗膜形成時の液体塗膜厚さ分布の修正を行なうことを特徴とする、請求項１に記載の塗布方法。
【請求項３】  請求項１または２に記載の塗布方法を用いて、カラーフィルターを製造することを特徴とする、カラーフィルターの製造方法。
【請求項４】  塗布液を供給する塗布液供給手段と、塗布液供給手段から供給された塗布液を吐出するための吐出口を有する塗布器と、塗布器を塗布装置本体に保持する塗布器保持部と、塗布器または被塗布部材の少なくとも一方を相対的に移動させる移動手段とを備えた塗布装置において、さらに前記塗布装置外部に塗布器に該塗布液とは異なる別の塗布液を充填する第２塗布液供給手段と、第２塗布液供給手段により塗布液を充填された塗布器を塗布器保持部に積載されている塗布器と交換する塗布器交換手段を有することを特徴とする塗布装置。
【請求項５】  さらに塗布器と塗布液供給手段の交換直後に前記塗布器から塗布液を吐出して被塗布部材上に形成される液体塗膜の厚さを測定する塗膜厚さ測定器と、該液体塗膜の厚さの測定を液体塗膜の形成中または形成直後に行わせる測定タイミング制御手段とを有することを特徴とする、請求項４に記載の塗布装置。
【請求項６】  請求項４または５に記載の塗布装置を用いてカラーフィルターを製造することを特徴とするカラーフィルターの製造装置。
【手続補正２】
【補正対象書類名】明細書
【補正対象項目名】０００８
【補正方法】変更
【補正の内容】
【０００８】
【課題を解決するための手段】
上記の目的はこの発明によって達成される。
請求項１に係る塗布方法は、塗布装置に積載された塗布器の吐出口から、塗布液供給手段により供給された塗布液を被塗布部材に吐出しながら、前記塗布器および被塗布部材の少なくとも一方を相対的に移動させて前記被塗布部材に塗膜を形成する塗布方法において、塗布装置の外部で別の塗布器及び塗布液供給手段に該塗布液とは異なる別の塗布液を充填してから、塗布装置に積載されている塗布器および塗布液供給手段と交換することを特徴とする方法からなる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
請求項４に係る塗布装置は、塗布液を供給する塗布液供給手段と、塗布液供給手段から供給された塗布液を吐出するための吐出口を有する塗布器と、塗布器を塗布装置本体に保持する塗布器保持部と、塗布器または被塗布部材の少なくとも一方を相対的に移動させる移動手段とを備えた塗布装置において、さらに前記塗布装置外部に塗布器に該塗布液とは異なる別の塗布液を充填する第２塗布液供給手段と、第２塗布液供給手段により塗布液を充填された塗布器を塗布器保持部に積載されている塗布器と交換する塗布器交換手段を有することを特徴とするものからなる。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１８
【補正方法】変更
【補正の内容】
【００１８】
請求項１、４に係る塗布方法、塗布装置によれば、交換すべき塗布液を別の塗布液供給手段により充填させた塗布器を事前に準備して、品種切替時に塗布装置本体に保持されている塗布器と塗布液供給手段と交換するのであるから、塗布器の洗浄、塗布液の充填・エアー抜きといった作業が省略され、大幅な作業時間短縮が可能となる。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
請求項３、６に係るカラーフィルタの製造方法、製造装置によれば、上記の優れた塗布方法、塗布装置でカラーフィルターを製造するのであるから、品種切替時間を大きく短縮して稼働率が向上することで、高い生産性を実現することができる。
【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  塗布液を吐出口から吐出させる塗布ヘッドの吐出口周辺を清浄にするための方法であって、溶剤吐出手段と気体吐出手段を塗布ヘッドの長手方向に配置し、塗布液を溶解する溶媒を溶剤吐出手段から吐出して前記塗布ヘッドの吐出口周辺に付着している付着物に接触させた後に、塗布ヘッドの吐出口周辺部に残存している付着物及び溶媒を、気体吐出手段から噴射される気体との衝突で除去するとともに、除去された付着物と溶媒と前記気体を回収することを特徴とする、塗布ヘッドの清浄方法。
【請求項２】  前記溶媒と付着物との衝突位置、および塗布ヘッドの吐出口周辺に残存している付着物及び溶媒と気体との衝突位置を、塗布ヘッドの長手方向に移動させることを特徴とする、請求項１に記載の塗布ヘッドの清浄方法。
【請求項３】  請求項１または２に記載の塗布ヘッドの清浄方法を用いて、カラーフィルターを製造することを特徴とする、カラーフィルターの製造方法。
【請求項４】  塗布液を吐出口から吐出させる塗布ヘッドの吐出口周辺部を清浄にするための塗布ヘッドの清浄装置であって、塗布液を溶解する溶媒を前記塗布ヘッドの吐出口周辺に付着している付着物に接触させる溶媒吐出手段と、付着物との衝突後に塗布ヘッドの吐出口周辺に残存している付着物及び溶媒を気体との衝突で除去する気体吐出手段と、除去された付着物と溶媒と前記気体を回収する回収手段を有し、さらに前記溶媒吐出手段と気体吐出手段は塗布ヘッドの長手方向に配置されていることを特徴とする塗布ヘッドの清浄装置。
【請求項５】  さらに全ての手段が塗布ヘッドの長手方向に移動自在であることを特徴とする、請求項４に記載の塗布ヘッドの清浄装置。
【請求項６】  請求項４または５に記載の塗布ヘッドの清浄装置を使用してカラーフィルターを製造することを特徴とするカラーフィルターの製造装置。
【手続補正２】
【補正対象書類名】明細書
【補正対象項目名】００１４
【補正方法】変更
【補正の内容】
【００１４】
【課題を解決するための手段】
上記本発明の目的は、以下に述べる手段によって達成される。
請求項１に係る塗布ヘッドの清浄方法は、塗布液を吐出口から吐出させる塗布ヘッドの吐出口周辺を清浄にするための方法であって、溶剤吐出手段と気体吐出手段を塗布ヘッドの長手方向に配置し、塗布液を溶解する溶媒を溶剤吐出手段から吐出して前記塗布ヘッドの吐出口周辺に付着している付着物に接触させた後に、塗布ヘッドの吐出口周辺部に残存している付着物及び溶媒を、気体吐出手段から噴射される気体との衝突で除去するとともに、除去された付着物と溶媒と前記気体を回収することを特徴とする方法からなる。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１８
【補正方法】変更
【補正の内容】
【００１８】
請求項３に係るカラーフィルターの製造方法では、上記のような塗布ヘッドの清浄方法を用いてカラーフィルターを製造するので、高い品質のカラーフィルターを製造できる。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
請求項４に係る塗布ヘッドの清浄装置は、塗布液を吐出口から吐出させる塗布ヘッドの吐出口周辺部を清浄にするための塗布ヘッドの清浄装置であって、塗布液を溶解する溶媒を前記塗布ヘッドの吐出口周辺に付着している付着物に接触させる溶媒吐出手段と、付着物との衝突後に塗布ヘッドの吐出口周辺に残存している付着物及び溶媒を気体との衝突で除去する気体吐出手段と、除去された付着物と溶媒と前記気体を回収する回収手段を有し、さらに前記溶媒吐出手段と気体吐出手段は塗布ヘッドの長手方向に配置されていることを特徴とするものからなる。ここで、さらに全ての手段が塗布ヘッドの長手方向に移動自在であることが望ましい。
【手続補正９】
【補正対象書類名】明細書
【補正対象項目名】００２２
【補正方法】変更
【補正の内容】
【００２２】
請求項６に係るカラーフィルターの製造装置では、上記のような塗布ヘッドの清浄装置を使用してカラーフィルターを製造するので、高い品質のカラーフィルターを製造できる。
【手続補正１０】
【補正対象書類名】明細書
【補正対象項目名】００２３
【補正方法】変更
【補正の内容】
【００２３】
請求項１に係る塗布ヘッドの清浄方法、および請求項４に係る塗布ヘッドの清浄装置によれば、スリットダイの吐出口周辺部に清掃具を接触することなく、非接触で吐出口周辺部を清浄化できるとともに、スリットダイ吐出口出口にある塗布液と溶剤の接触による塗布液の変質を、両者の接触時間を最小限とすることで防止することができる。
【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  塗布器の吐出口から塗布液を吸着盤に吸着保持された被塗布部材に吐出しながら、前記塗布器および被塗布部材の少なくとも一方を相対的に移動させて前記被塗布部材に塗膜を形成する塗布方法において、被塗布部材を吸着盤から脱着するための吸着力減少操作を、前記被塗布部材への塗膜塗形成後、複数回行なうことを特徴とする塗布方法。
【請求項２】  塗布器の吐出口から塗布液を吸着盤に吸着保持された被塗布部材に吐出しながら、前記塗布器および被塗布部材の少なくとも一方を相対的に移動させて前記被塗布部材に塗膜を形成した後に、前記被塗布部材の吸着盤よりの離間動作を行うことで、被塗布部材を吸着盤から脱着する塗布方法において、最終離間位置までの途中位置で一時停止を行なうことを特徴とする塗布方法。
【請求項３】  請求項１または２に記載の塗布方法を用いて、カラーフィルターを製造することを特徴とするカラーフィルターの製造方法。
【請求項４】  塗布液を供給する供給手段と、供給手段から供給された塗布液を吐出するための吐出口を有する塗布器と、被塗布部材を吸着保持する吸着盤と、塗布器または被塗布部材の少なくとも一方を相対的に移動させる移動手段とを備えた塗布装置において、被塗布部材の吸着盤からの脱着を吸着力減少によって行なう被塗布部材脱着装置と、該被塗布部材脱着装置による被塗布部材の脱着動作を、被塗布部材への塗膜塗形成後から複数回行なわせる脱着制御手段を有することを特徴とする塗布装置。
【請求項５】  塗布液を供給する供給手段と、供給手段から供給された塗布液を吐出するための吐出口を有する塗布器と、被塗布部材を吸着保持する吸着盤と、塗布器または被塗布部材の少なくとも一方を相対的に移動させる移動手段と、被塗布部材を吸着盤から離間して脱着する離間手段とを備えた塗布装置において、さらに離間手段による被塗布部材の吸着盤からの脱着時に、最終離間位置までの途中位置で一時停止を行なわせる離間制御手段を有することを特徴とする塗布装置。
【請求項６】  請求項４または５に記載の塗布装置を用いてカラーフィルターを製造することを特徴とするカラーフィルターの製造装置。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１６
【補正方法】変更
【補正の内容】
【００１６】
請求項４に係る塗布装置は、塗布液を供給する供給手段と、供給手段から供給された塗布液を吐出するための吐出口を有する塗布器と、被塗布部材を吸着保持する吸着盤と、塗布器または被塗布部材の少なくとも一方を相対的に移動させる移動手段とを備えた塗布装置において、被塗布部材の吸着盤からの脱着を吸着力減少によって行なう被塗布部材脱着装置と、該被塗布部材脱着装置による被塗布部材の脱着動作を、被塗布部材への塗膜塗形成後から複数回行なわせる脱着制御手段を有することを特徴とするものからなる。
【手続補正５】
【補正対象書類名】明細書
【補正対象項目名】００１７
【補正方法】変更
【補正の内容】
【００１７】
請求項５に係る塗布装置は、塗布液を供給する供給手段と、供給手段から供給された塗布液を吐出するための吐出口を有する塗布器と、被塗布部材を吸着保持する吸着盤と、塗布器または被塗布部材の少なくとも一方を相対的に移動させる移動手段、被塗布部材を吸着盤から離間して脱着する離間手段とを備えた塗布装置において、さらに離間手段による被塗布部材の吸着盤からの脱着時に、最終離間位置までの途中位置で一時停止を行なわせる離間制御手段を有することを特徴とするものからなる。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２１
【補正方法】変更
【補正の内容】
【００２１】
請求項１、４に係る塗布方法、塗布装置によれば、基板の剥離による脱着のための吸着解除動作を、塗布終了直後から開始するのであるから、基板が停止してから基板を吸着盤上面から剥離するまでの時間が短くなって、タクトタイムを短縮できる。
【手続補正９】
【補正対象書類名】明細書
【補正対象項目名】００２２
【補正方法】変更
【補正の内容】
【００２２】
請求項２、５に係る塗布方法、塗布装置によれば、基板の吸着盤からの剥離による脱着のための離間動作を、最終位置までの途中位置で一時停止して段階的に行うのであるから、離間動作が緩やかに行われて、基板の割れをおこすことなくしかも早く行えるので、基板を吸着盤上面から剥離するまでの時間が短くなって、タクトタイムを短縮できる。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】変更
【補正の内容】
【００２５】
請求項３、６に係るカラーフィルタの製造方法、製造装置によれば、上記の優れた塗布方法、塗布装置でカラーフィルターを製造するのであるから、タクトタイムを短くして高い生産性を実現することができる。
【手続補正書】
【提出日】平成19年1月24日(2007.1.24)
【手続補正１】
【補正対象書類名】明細書
【補正対象項目名】特許請求の範囲
【補正方法】変更
【補正の内容】
【特許請求の範囲】
【請求項１】  遊技領域に設けた特定領域を遊技球が通過すると、図柄表示部を介して可変表示ゲームが行われ、当たりになると遊技球が権利始動領域を通過し易くなり、遊技球がその権利始動領域を通過すると権利が発生し、この権利中に、遊技球が大入賞始動口を通過すると、遊技者にとって不利な第１状態から有利な第２状態に変更して多量の賞品球の獲得が可能となった後に、権利が終了し、
開閉扉の開成中に遊技球の停留を可能とする停留爪と、前記開閉扉の閉成によって落球する遊技球を検出する検出器と、その検出器で遊技球を検出した後に該遊技球を停留可能な誘導体を備える普通電動役物を有する遊技機であって、
前記検出器で遊技球を検出した検出信号により判定図柄表示器が図柄変動を行うと共に抽選を行い、この抽選結果により、前記誘導体に停留の遊技球は入賞口又は権利始動領域に導かれ、該権利始動領域に導かれたときには権利が発生し、  その権利が終了したときにはノーマル状態から遊技者に有利な特定状態に変更し、該特定状態は予め設定された条件で終了することを特徴とする遊技機。
【請求項２】  前記誘導体の両側に入賞口と権利始動領域を設け、前記誘導体に停留の遊技球を前記誘導体の回転方向により前記入賞口又は権利始動領域に導くことを特徴とする請求項１の遊技機。
【請求項３】  誘導体は、正面視、遊技球を停留可能な三日月形であることを特徴とする請求項２の遊技機。
【請求項４】  前記開閉扉を複数に区分し、それらの区分のうち予め決められた区分を転球する遊技球は停留爪で停留し、それ以外の区分を転球する遊技球は所定の賞品球の払い出しを行うことを特徴とする請求項１又は請求項３の遊技機。
【請求項５】  前記開閉扉の区分は３個であり、遊技球を停留爪で停留可能な区分は中央の区分であることを特徴とする請求項４の遊技機。
【請求項６】  判定図柄表示器に表示の停止図柄が予め決められた図柄であると、権利が終了後に、ノーマル状態から遊技者に有利な特定状態に変更することを特徴とする請求項１から請求項５までの何れか１項の遊技機。
【手続補正２】
【補正対象書類名】明細書
【補正対象項目名】０００４
【補正方法】変更
【補正の内容】
【０００４】
【課題を解決するための手段】
請求項１の遊技機は、遊技領域に設けた特定領域を遊技球が通過すると、図柄表示部を介して可変表示ゲームが行われ、当たりになると遊技球が権利始動領域を通過し易くなり、遊技球がその権利始動領域を通過すると権利が発生し、この権利中に、遊技球が大入賞始動口を通過すると、遊技者にとって不利な第１状態から有利な第２状態に変更して多量の賞品球の獲得が可能となった後に、権利が終了する。
又、この遊技機には、開閉扉の開成中に遊技球の停留を可能とする停留爪と、前記開閉扉の閉成によって落球する遊技球を検出する検出器と、その検出器で遊技球を検出した後に該遊技球を停留可能な誘導体を備える普通電動役物を有する。
そして、検出信号で遊技球を検出した検出信号により判定図柄表示器が図柄変動を行うと共に抽選を行い、この抽選結果により、前記誘導体に停留の遊技球は入賞口又は権利始動領域に導かれ、該権利始動領域に導かれたときには権利が発生する。又、この権利が終了したときにはノーマル状態から遊技者に有利な特定状態に変更し、該特定状態は予め説定された条件で終了する。
又、請求項２の遊技機は、誘導体の両側に入賞口と権利始動領域が設けてあり、誘導体に停留の遊技球を前記誘導体の回転方向により前記入賞口又は権利始動領域に導く。
又、請求項３の遊技機は、誘導体の正面視が遊技球を停留可能な三日月形である。
又、請求項４の遊技機は、開閉扉を複数に区分し、それらの区分のうち予め決められた区分を転球する遊技球は停留爪で停留し、それ以外の区分を転球する遊技球は所定の賞品球の払い出しを行う。
又、請求項５の遊技機は、開閉扉の区分は３個であり、遊技球を停留爪で停留可能な区分は中央の区分である。
又、請求項６の遊技機は、判定図柄表示器に表示の停止図柄が予め決められた図柄であると、権利が終了後に、ノーマル状態から遊技者に有利な特定状態に変更する。
【手続補正３】
【補正対象書類名】明細書
【補正対象項目名】００２９
【補正方法】変更
【補正の内容】
【００２９】    
【発明の効果】
本願の発明は、権利が終了後に、遊技者に有利な特定状態に変更すると共に、この特定状態は予め設定の終了条件で終了するので、遊技者と遊技店との均衡を図ることができる。
【手続補正書】
【提出日】平成19年3月6日(2007.3.6)
【手続補正１】
【補正対象書類名】明細書
【補正対象項目名】特許請求の範囲
【補正方法】変更
【補正の内容】
【特許請求の範囲】    【請求項１】  遊技機の裏面に設けられる機構盤、又は遊技盤の裏面に設けられる集合板に取り付けられる遊技動作を制御する装置を収納する装置ケースを備えた遊技機において、  前記装置ケースもしくは前記機構盤又は前記集合板のいずれか一方に爪部を備えた本体支軸を、 前記装置ケースもしくは前記機構盤又は前記集合板のいずれか他方に前記本体支軸を挿入した際に前記爪部が到達する位置に溝部を備えた本体軸受けを備え、前記本体支軸を前記本体軸受け部に挿入した後に所定の回転を加えることにより溝部に爪部が入り込むことで固定が成ることを特徴とする遊技機。【手続補正２】
【補正対象書類名】明細書
【補正対象項目名】０００３
【補正方法】変更
【補正の内容】
【０００３】【課題を解決するための手段及び効果】請求項１に記載の遊技機は、遊技機の裏面に設けられる機構盤、又は遊技盤の裏面に設けられる集合板に取り付けられる遊技動作を制御する装置を収納する装置ケースを備えた遊技機において、前記装置ケースもしくは前記機構盤又は前記集合板のいずれか一方に爪部を備えた本体支軸を、前記装置ケースもしくは前記機構盤又は前記集合板のいずれか他方に前記本体支軸を挿入した際に前記爪部が到達する位置に溝部を備えた本体軸受けを備え、前記本体支軸を前記本体軸受け部に挿入した後に所定の回転を加えることにより溝部に爪部が入り込むことで固定が成ることを特徴とする。【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】装置ケースの脱落防止にも効果を有する。【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】  メンテナンス作業時に開状態で固定して作業できるため、作業を一層簡略化することができるという優れた効果を有する。【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００３０
【補正方法】変更
【補正の内容】
【００３０】  以上、前述した第１の実施例によると、装置ケース２５自体の構造を制御装置に対する細工を容易に行えない構造とされているため、不正防止に優れた効果を有する。また、装置ケース２５と集合板１７とをヒンジ機構により支持する構造とすると共に、本体支軸３２に爪部３４を本体軸受け３１に溝部３５を設けることにより、装置ケース２５の取り付け及び取り外し作業の際に工具を使用せずに容易に行えるという優れた効果を有すると共に、取り付け動作を行うだけで装置ケース２５の落脱を防止するためのロックができるという優れた効果も有する。
【手続補正書】
【提出日】平成19年3月9日(2007.3.9)
【手続補正１】
【補正対象書類名】明細書
【補正対象項目名】００４４
【補正方法】変更
【補正の内容】
【００４４】
本発明の特徴は、押棒３０の凸部３４を含む凸条３５の幅は、爪片３１の爪片幅３１Ｌと同等もしくは大きい凸条幅３５Ｌであり、押棒３０の移動中常時摺動溝１２に係合して回転止め係合部３９ａとして存在していることにある。また、同じ凸条３５の外周面に係合突起３６を列状に設け、繰出係合部３９ｂを構成してることにもある。従って回転止め係合部３９ａと繰出係合部３９ｂは同じ凸条にありながら、繰出機構と同時に回転止め機構として分離した働きをしていることとなる。
【手続補正２】
【補正対象書類名】明細書
【補正対象項目名】００５３
【補正方法】変更
【補正の内容】
【００５３】
しかし、ピッチを粗くして、１回転当りの移動距離であるリードを大きくした螺旋溝２１と螺合する押棒３０は、上部よりの圧力（使用時の押圧）で簡単にねじが逆転して戻ってしまう現象を生ずる。
【手続補正書】
【提出日】平成18年12月4日(2006.12.4)
【手続補正１】
【補正対象書類名】明細書
【補正対象項目名】特許請求の範囲
【補正方法】変更
【補正の内容】
【特許請求の範囲】
【請求項１】
被検体へ超音波を送信しそれによるエコーを受信する複数の振動子を内蔵した超音波探触子と、この超音波探触子の前記複数の振動子から出力される各エコー信号をデジタル信号に変換する手段と、このデジタル化された各エコー信号の整相を行うデジタル整相手段と、このデジタル整相手段の出力信号を加算し受信ビーム信号を形成する手段と、前記受信ビーム信号を画像処理して表示手段へ画像として表示する手段とを有した超音波撮像装置において、
前記デジタル整相手段の出力信号を用いて被検体内における超音波の伝播速度を求める手段と、前記求められた超音波伝播速度に対応した遅延データを前記デジタル整相手段へ供給する手段とを備え、前記デジタル整相手段は前記遅延データを用いて前記整相を行うことを特徴とする超音波撮像装置。
【請求項２】 
前記超音波伝播速度を求める手段は、前記デジタル整相手段から出力される受信に寄与した複数の振動子のエコー信号同志から遅延時間誤差を演算する手段と、複数の伝播音速に対応した遅延時間誤差データを記憶する記憶手段と、前記演算手段の出力と前記記憶手段に記憶された遅延時間データとを比較することにより超音波伝播速度を選択決定する音速選択部とを備えることを特徴とする請求項１に記載の超音波撮像装置。
【請求項３】 
前期遅延時間誤差データ記憶手段には、複数の超音波振動子のチャンネルに対応した遅延時間誤差が音速をパラメータとして複数の遅延時間分布として記憶されていることを特徴とする請求項２に記載の超音波撮像装置。
【請求項４】 
前記遅延データ記憶手段に記憶された複数の遅延時間分布に対応する超音波伝播速度を記憶する音速データ記憶手段を備え、前期音速選択部は選択決定した遅延時間データに対応する音速を前記音速データ記憶手段の記憶内容と照らし合わせて求めることを特徴とする請求項２又は３に記載の超音波撮像装置。
【請求項５】 
被検体へ超音波を送信しそれによるエコーを受信する複数の振動子を内蔵した超音波探触子と、この超音波探触子の前記複数の振動子から出力される各エコー信号をデジタル信号に変換する手段と、このデジタル化された各エコー信号の整相を行うデジタル整相手段と、このデジタル整相手段の出力信号を加算し受信ビーム信号を形成する手段と、前記受信ビーム信号を画像処理して表示手段へ画像として表示する手段とを有した超音波撮像装置において、
前記デジタル整相手段の出力信号を用いて前記デジタル整相手段に設定された遅延時間データの誤差を演算により求める手段と、前記演算により求められた遅延時間誤差から補正遅延時間データを求め前記デジタル整相手段へ供給する手段と、この補正遅延時間データの設定により得られた前記デジタル整相手段の出力信号を用いて被検体内における超音波の伝播速度を求める手段と、前記求められた超音波伝播速度に対応した遅延データを前記デジタル整相手段へ供給する手段とを備え、前記デジタル整相手段は前記遅延データを用いて前記整相を行うことを特徴とする超音波撮像装置。
【請求項６】 
前記音速選択部によって求められた音速データを前記表示手段の表示画面へ表示させる手段を備えたことを特徴とする請求項４に記載の超音波撮像装置。
【請求項７】 
前記遅延時間誤差演算手段は、前記デジタル整相手段の複数の出力信号についての深度方向のある一部分についてのデータを用いて遅延時間誤差を演算することを特徴とする請求項１乃至４又は６に記載の超音波撮像装置。
【請求項８】 
前記遅延時間誤差演算手段は、前記デジタル整相手段の複数の出力信号についての深度方向の全領域についてのデータを用いて遅延時間誤差を演算するとともに、この演算を複数の受信ビームにより形成されるある超音波走査領域にわたって行うことを特徴とする請求項１乃至４又は６に記載の超音波撮像装置。
【請求項９】 
前記デジタル整相手段の複数の出力信号についての深度方向の全領域についてのデータを用いて演算された遅延時間誤差を音速データの分布に変換し、前記表示手段の表示画面へ音速分布画像として表示させる手段を備えたことを特徴とする請求項８に記載の超音波撮像装置。
【請求項１０】 
前記音速分布画像へ音速の差に応じた色相を付与して表示することを特徴とする請求項９に記載の超音波撮像装置。
【請求項１１】 
前記音速分布画像を超音波断層像と同時に前記表示手段の表示画面へ表示することを特徴とする請求項９に記載の超音波撮像装置。
【請求項１２】 
前記音速分布画像と超音波断層像とを重畳して表示することを特徴とする請求項１１に記載の超音波撮像装置。
【手続補正２】
【補正対象書類名】明細書
【補正対象項目名】００１４
【補正方法】変更
【補正の内容】
【００１４】
【課題を解決するための手段】
上記目的を達成するために本発明は、被検体へ超音波を送信しそれによるエコーを受信する複数の振動子を内蔵した超音波探触子と、この超音波探触子の前記複数の振動子から出力される各エコー信号をデジタル信号に変換する手段と、このデジタル化された各エコー信号の整相を行うデジタル整相手段と、このデジタル整相手段の出力信号を加算し受信ビーム信号を形成する手段と、前記受信ビーム信号を画像処理して表示手段へ画像として表示する手段とを有した超音波撮像装置において、前記デジタル整相手段の出力信号を用いて被検体内における超音波の伝播速度を求める手段と、前記求められた超音波伝播速度に対応した遅延データを前記デジタル整相手段へ供給する手段とを備え、前記デジタル整相手段は前記遅延データを用いて前記整相を行うことを特徴としている。
【手続補正３】
【補正対象書類名】明細書
【補正対象項目名】００１８
【補正方法】変更
【補正の内容】
【００１８】
また，本発明は前記目的を達成するために、被検体へ超音波を送信しそれによるエコーを受信する複数の振動子を内蔵した超音波探触子と、この超音波探触子の前記複数の振動子から出力される各エコー信号をデジタル信号に変換する手段と、このデジタル化された各エコー信号の整相を行うデジタル整相手段と、このデジタル整相手段の出力信号を加算し受信ビーム信号を形成する手段と、前記受信ビーム信号を画像処理して表示手段へ画像として表示する手段とを有した超音波撮像装置において、前記デジタル整相手段の出力信号を用いて前記デジタル整相手段に設定された遅延時間データの誤差を演算により求める手段と、前記演算により求められた遅延時間誤差から補正遅延時間データを求め前記デジタル整相手段へ供給する手段と、この補正遅延時間データの設定により得られた前記デジタル整相手段の出力信号を用いて被検体内における超音波の伝播速度を求める手段と、前記求められた超音波伝播速度に対応した遅延データを前記デジタル整相手段へ供給する手段とを備え、前記デジタル整相手段は前記遅延データを用いて前記整相を行うことを特徴としている。
【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】  物品（１０８）をレーザ衝撃ピーニング（ＬＳＰ）する方法であって、
第１及び第２のレーザ衝撃ピーニングされた表面部分（１５２，１５３）から、各々物品（１０８）内に延在する深い圧縮残留応力を持つ第１及び第２の領域（１５６，１５７）を形成するために、物品（１０８）の両面の第１及び第２の表面部分（１５２，１５３）の材料を蒸発させるのに十分な出力で第１及び第２のレーザビーム（１０２，１０３）の狙いを定めて、次に同時に発射する段階
を含み、かつ、狙いを定める段階は、
第１及び第２のレーザビーム（１０２，１０３）の第１及び第２の中心線（ＣＬ１，ＣＬ２）は、第１及び第２のレーザビームの中心点（Ａ１，Ａ２）において第１及び第２の表面部分（１５２，１５３）に衝突し、その点を通って、各々第１及び第２のレーザビームの中心点（Ａ１，Ａ２）において第１及び第２の表面部分（１５２，１５３）と実質的に垂直な第１及び第２の平行軸線（ＡＸ１，ＡＸ２）が通過するように、かつ、第１及び第２の軸線（ＡＸ１，ＡＸ２）がオフセット（ＯＳ）するように、第１及び第２のレーザビーム（１０２，１０３）の狙いを定める段階を含む
ことを特徴とする方法。
【請求項２】  第１及び第２のレーザビーム（１０２、１０３）は、第１及び第２の中心線（ＣＬ１、ＣＬ２）が交差し、かつ、互いに対して角度を持つように狙いが定められることを特徴とする請求項１記載の方法。
【請求項３】  第１及び第２のレーザビーム（１０２、１０３）と第１及び第２の中心線（ＣＬ１、ＣＬ２）とが平行で互いにオフセット（ＯＳ）していることを特徴とする請求項１記載の方法。
【請求項４】  物品（１０８）をレーザ衝撃ピーニング（ＬＳＰ）する方法であって、
第１及び第２のレーザ衝撃ピーニングされた表面部分（１５２，１５３）から、各々物品（１０８）内に延在する深い圧縮残留応力を持つ第１及び第２の領域（１５６，１５７）を形成するために、物品（１０８）の両面の第１及び第２の表面部分（１５２，１５３）の材料を蒸発させるのに十分な出力で第１及び第２のレーザビーム（１０２，１０３）の狙いを定めて、次に同時に発射する段階と、
互いに横方向にオフセット（ＯＳ）し、長軸方向に間隔（ＬＤ）をあけた第１及び第２のレーザ衝撃ピーニングされたスポット（１５８、１５９）を生成する段階と
を含むことを特徴とする方法。
【請求項５】  第１及び第２のスポット（１５８、１５９）が実質的に平行であることを特徴とする請求項４記載の方法。
【請求項６】  レーザビームは、各々第１及び第２のスポット（１５８，１５９）のうちの重なり合い隣接するスポットの、重なり合い隣接する列（Ｒ）を持つような物品（１０８）の第１及び第２の表面部分（１５２，１５３）に第１及び第２のパターンを生成するような方法で狙いが定められて発射されることを特徴とする請求項４記載の方法。
【請求項７】  第１及び第２のパターンを形成する段階が、
物品（１０８）を、一方でレーザビームを静止した状態のままに保ち、かつ、反復可能なパルスで比較的一定なパルス間の周期により連続的に発射しながら、連続的に動かす段階を更に含み、かつ、
第１及び第２の表面部分（１５２，１５３）は、シーケンス（Ｓ１−Ｓ４）の各々が一方でレーザ衝撃ピーニングされるスポットに隣接する表面部分の各々がシーケンスの組の中の異なるシーケンスで命中されるように静止したレーザビームを表面に連続的に発射しながら物品（１０８）を連続的に動かす段階を含むシーケンス（Ｓ１−Ｓ４）を使用してレーザ衝撃ピーニングされる
ことを特徴とする請求項６記載の方法。
【請求項８】  レーザ衝撃ピーニング加工した物品（１０８）であって、
第１及び第２のレーザ衝撃ピーニングされた表面部分（１５２，１５３）から各々物品（１０８）の中へ延在する深い圧縮残留応力を持つ第１及び第２の領域（１５６，１５７）を具える、物品（１０８）の両面のレーザ衝撃ピーニングされた第１及び第２の表面部分（１５２，１５３）
を含み、かつ、
第１及び第２の表面部分（１５２，１５３）は、レーザ衝撃ピーニング（ＬＳＰ）から、同時にレーザ衝撃ピーニングされた第１及び第２のスポット（１５８，１５９）の対（８８）を含み、そして
同時にレーザ衝撃ピーニングされた第１及び第２のスポット（１５８，１５９）の各々の対は、長軸方向に間隔（ＬＤ）をあけられ、横方向に互いにオフセット（ＯＳ）していることを特徴とする物品（１０８）。
【請求項９】  同時にレーザ衝撃ピーニングされた第１及び第２のスポット（１５８、１５９）の対が実質的に平行であることを特徴とする請求項８記載の物品（１０８）。
【請求項１０】  物品（１０８）の第１及び第２の表面部分（１５２、１５３）は、各々第１及び第２のスポット（１５８、１５９）のうちの重なり合い隣接するスポットの、重なり合い隣接する列（Ｒ）の第１及び第２のパターンを含むことを特徴とする請求項８記載の物品（１０８）。
【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】    【請求項１】生体試料中のトリグリセリド含量を測定するための測定試薬において、グリセロールキナーゼ、アデノシン５’−三リン酸及びグルコースのいずれか１つを別個の試薬として保持することを特徴とするトリグリセリド測定のための測定試薬。    【請求項２】グリセロールキナーゼ及びアデノシン５’−三リン酸を含有する第一試薬と、グルコースを含有する第二試薬と、を有する請求項１に記載の測定試薬。    【請求項３】第一試薬のｐＨが、ｐＨ７．５〜１０．０である、請求項２に記載の測定試薬。    【請求項４】第二試薬のｐＨが、ｐＨ５．０〜７．０である、請求項２又は３に記載の測定試薬。    【請求項５】第一試薬が、ホスホエノールピルビン酸をさらに含有する、請求項２〜４のいずれか１項に記載の測定試薬。    【請求項６】ピルビン酸キナーゼをさらに含有する第一試薬と、ピルビン酸キナーゼの活性を抑制する物質をさらに含有する第二試薬と、を有する請求項２〜５のいずれか１項に記載の測定試薬。    【請求項７】ピルビン酸キナーゼの活性を抑制する物質が、塩化カルシウム及び／又はシュウ酸である、請求項６に記載の測定試薬。    【請求項８】第二試薬が、β−ＮＡＤＰ及び／又はβ−ＮＡＤをさらに含有する、請求項２〜７のいずれか１項に記載の測定試薬。    【請求項９】第一試薬が、グルコース−６−リン酸脱水素酵素をさらに含有する、請求項２〜８のいずれか１項に記載の測定試薬。    【請求項１０】生体試料、第一試薬及び第二試薬を混合したときのｐＨが、ｐＨ７．３以上である、請求項２〜９のいずれか１項に記載の測定試薬。    【請求項１１】請求項１〜１０のいずれか１項に記載の測定試薬を用いる、トリグリセリド測定方法。
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
質量％で、
Ｃ：０．１〜０．６％、
Ｓｉ：０．１〜１．５％、
Ｍｎ：０．１〜０．７％、
Ｃｒ：１．０〜６．０％、
Ｎｉ：０．０５〜１．２％、
Ｓ：０．００５〜０．０６％、
Ｍｏ＋１／２Ｗ：０．５〜２．５％、および、Ｖ＋１／２Ｎｂ：０．１〜２．０％、残部Ｆｅおよび不可避的不純物からなる鋼を、鍛錬比（ｓ）：４〜１０で熱間加工した後焼入に際し、焼入温度から焼入温度より５００℃低い温度までの範囲での冷却速度を３℃／ｍｉｎ以上で冷却してなるプリハードン金型用鋼の製造方法。
【請求項２】
請求項１に記載の成分組成に加えて、Ｃａ：０．０００３〜０．１％、Ｍｇ：０．０００３〜０．１％の１種または２種を添加することを特徴とするプリハードン金型用鋼の製造方法。
【手続補正２】
【補正対象書類名】明細書
【補正対象項目名】発明の名称
【補正方法】変更
【補正の内容】
【発明の名称】プリハードン金型用鋼の製造方法
【手続補正３】
【補正対象書類名】明細書
【補正対象項目名】０００１
【補正方法】変更
【補正の内容】
【０００１】
本発明は、プリハードン状態で金型に加工される金型用鋼の製造方法に関するものである。
【手続補正４】
【補正対象書類名】明細書
【補正対象項目名】０００５
【補正方法】変更
【補正の内容】
【０００５】
上述したような問題を解消するために、発明者らは鋭意開発を進めた結果、Ｓ添加量を制御することにより、硫化物の応力集中効果による被削性の向上を図るとともに、鍛錬比および冷却速度制御の相乗効果（凝固組織の破壊、結晶粒内組織の微細化）により、割れ感受性の低減を図り、金型寿命と加工性を両立した金型寿命の安定化を図ることが出来るプリハードンでの金型加工性が良好な金型用鋼の製造方法を提案するものである。
【手続補正５】
【補正対象書類名】明細書
【補正対象項目名】０００６
【補正方法】変更
【補正の内容】
【０００６】
その発明の要旨とするところは、
（１）質量％で、Ｃ：０．１〜０．６％、Ｓｉ：０．１〜１．５％、Ｍｎ：０．１〜０．７％、Ｃｒ：１．０〜６．０％、Ｎｉ：０．０５〜１．２％、Ｓ：０．００５〜０．０６％、Ｍｏ＋１／２Ｗ：０．５〜２．５％、および、Ｖ＋１／２Ｎｂ：０．１〜２．０％、残部Ｆｅおよび不可避的不純物からなる鋼を、鍛錬比（ｓ）：４〜１０で熱間加工した後焼入に際し、焼入温度から焼入温度より５００℃低い温度までの範囲での冷却速度を３℃／ｍｉｎ以上で冷却してなるプリハードン金型用鋼の製造方法。
（２）前記（１）に記載の成分組成に加えて、Ｃａ：０．０００３〜０．１％、Ｍｇ：０．０００３〜０．１％の１種または２種を添加することを特徴とするプリハードン金型用鋼の製造方法である。
【手続補正６】
【補正対象書類名】明細書
【補正対象項目名】０００７
【補正方法】変更
【補正の内容】
【０００７】
以上述べたように、本発明による硫化物の応力集中効果による被削性の向上を図ると共に、鍛錬比および冷却速度制御の相乗効果により、割れ感受性の低減を図ることにより硬さ、耐ヒートチェック性などの諸特性を低下させることなく、プリハードン加工性に優れた割れ感受性の低減を図ることが出来る金型鋼の製造方法を提供することが出来る極めて優れた効果を奏するものである。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
駆動源からの動力を受けて前後方向又は左右方向に高速往復動する刈刃であり、Ｃ：０.５〜０.７質量％，Ｓｉ：０.５質量％以下，Ｍｎ：０.１〜２.０質量％，Ｐ：０．０２質量％以下，Ｓ：０.０１質量％以下，Ｃｒ：１.５質量％以下を含み、残部がＦｅ及び不可避的不純物からなり、かつＸ＝３.５Ｍｎ＋４.２Ｃｒで定義されるＸ値が３〜８に調整された組成をもち、硬さ：５０ＨＲＣ以上に調質された熱処理鋼板で刈刃基板が作製されていることを特徴とする園芸機械用刈刃。
【請求項２】
駆動源からの動力を受けて前後方向又は左右方向に高速往復動する刈刃であり、Ｃ：０.５〜０.７質量％，Ｓｉ：０.５質量％以下，Ｍｎ：０.１〜２.０質量％，Ｐ：０．０２質量％以下，Ｓ：０.０１質量％以下，Ｃｒ：１.５質量％以下と、さらにＭｏ：０.５質量％以下，Ｖ：０.５質量％以下，Ｎｉ：０.１〜２.０質量％，Ｔｉ：０.０１〜０.１質量％，Ｎｂ：０.０１〜０.１質量％，Ｂ：０.０００３〜０.０１質量％の１種又は２種以上を含み、残部がＦｅ及び不可避的不純物からなり、かつＸ＝３.５Ｍｎ＋４.２Ｃｒ＋３.３Ｍｏ＋４.８Ｖ＋０.６Ｎｉで定義されるＸ値が３〜８に調整された組成をもち、硬さ：５０ＨＲＣ以上に調質された熱処理鋼板で刈刃基板が作製されていることを特徴とする園芸機械用刈刃。
【手続補正２】
【補正対象書類名】明細書
【補正対象項目名】０００７
【補正方法】変更
【補正の内容】
【０００７】
本発明の園芸機械用刈刃は、駆動源からの動力を受けて前後方向又は左右方向に高速往復動する刈刃であり、Ｃ：０.５〜０.７質量％，Ｓｉ：０.５質量％以下，Ｍｎ：０.１〜２.０質量％，Ｐ：０．０２質量％以下，Ｓ：０.０１質量％以下，Ｃｒ：１.５質量％以下と、さらに必要に応じてＭｏ：０.５質量％以下，Ｖ：０.５質量％以下，Ｎｉ：０.１〜２.０質量％，Ｔｉ：０.０１〜０.１質量％，Ｎｂ：０.０１〜０.１質量％，Ｂ：０.０００３〜０.０１質量％の１種又は２種以上を含み、残部がＦｅ及び不可避的不純物からなり、かつＸ＝３.５Ｍｎ＋４.２Ｃｒ＋３.３Ｍｏ＋４.８Ｖ＋０.６Ｎｉで定義されるＸ値が３〜８に調整された組成をもち、硬さ：５０ＨＲＣ以上に調質された熱処理鋼板で刈刃基板が作製されていることを特徴とする。
【手続補正３】
【補正対象書類名】明細書
【補正対象項目名】００２４
【補正方法】変更
【補正の内容】
【００２４】
これに対し、Ｃ量の低い鋼Ａから作製した刈刃基板は、強度，靭性，延性が良好であるものの、平坦度が悪く、耐摩耗性にも劣っていた。Ｘ値が低い鋼Ｂ，Ｋから作製した刈刃基板は、焼き入れ不良で調質硬さを確保できず、強度，剛性が不足し、耐摩耗性，平坦度にも劣っていた。また、鋼Ｋ-2では、調質硬さを確保するため低温で焼き戻した結果、平坦度が非常に悪化していた。Ｐ，Ｓ，Ｓｉを過剰に含む鋼Ｃ，Ｐ，Ｌから作製された刈刃基板は、鋼中介在物に起因して靭性，延性に劣っていた。Ｃ，Ｓｉ，Ｍｎ，Ｃｒ，Ｍｏ等の過剰量を添加した鋼Ｅ，Ｆ，Ｈ，Ｉ，Ｌ，Ｍは、調質後の硬さが高いものの靭性，延性に劣っていた。Ｘ値が高すぎる鋼Ｊから作製された刈刃基板も、靭性，延性に劣っていた。調質硬さが低い鋼Ｇ-3，Ｌ-2から作製した刈刃基板は、強度，剛性が不足し、耐摩耗性にも劣っていた。